(57)【要約】【課題】面材を容易に外すことができない窓ユニット等を提供する。【解決手段】二つの空間の境界に設けられる面材と、前記面材の一方の面における外周端部と対向する一面対向部を有し、前記一面対向部にて形成される開口が前記面材にて閉塞される枠状部材と、前記面材の他方の面側にて前記枠状部材の前記一面対向部と、前記面材を介して対向する他面対向部を有し、前記枠状部材に取り付けられる押縁と、前記一方の面と前記一面対向部との間に配置される部位を有し前記枠状部材に固定される枠側金具、及び、前記他方の面と前記他面対向部との間に配置される部位を有し前記枠側金具に係止される係止金具を有する係止保持金具と、前記面材の前記一方の面及び前記他方の面における前記外周端部と各々対向する部位を一体に備え前記枠状部材に固定される一体保持金具と、を有する。【選択図】図２
2014114558.tif 000002
【特許請求の範囲】
【請求項１】
二つの空間の境界に設けられる面材と、
前記面材の一方の面における外周端部と対向する一面対向部を有し、前記一面対向部にて形成される開口が前記面材にて閉塞される枠状部材と、
前記面材の他方の面側にて前記枠状部材の前記一面対向部と、前記面材を介して対向する他面対向部を有し、前記枠状部材に取り付けられる押縁と、
前記一方の面と前記一面対向部との間に配置される第１部位を有し前記枠状部材に固定される枠側金具、及び、前記他方の面と前記他面対向部との間に配置される第２部位を有し前記枠側金具に係止される係止金具を有する係止保持金具と、
前記面材の前記一方の面及び前記他方の面における前記外周端部と各々対向する壁部を一体に備え前記枠状部材に固定される一体保持金具と、
を有することを特徴とする窓ユニット。
【請求項２】
請求項１に記載の窓ユニットであって、
前記開口は、矩形状をなし、
前記一体保持金具は前記面材の下部の前記外周端部を保持し、
前記係止保持金具は前記面材の上部及び両側部の前記外周端部を保持することを特徴とする窓ユニット。
【請求項３】
請求項２に記載の窓ユニットであって、
前記面材が前記枠状部材に前記係止保持金具及び前記一体保持金具を介して保持されたときに、
前記面材の上方に形成された空隙の高さは、前記面材の下端と前記一体保持金具の前記他の面側の壁部の上端との距離より狭いことを特徴とする窓ユニット。
【請求項４】
請求項２または請求項３に記載の窓ユニットであって、
前記枠状部材は、長手方向に連通する中空部を有する合成樹脂製の一対の横材及び一対の縦材とで形成され、前記横材及び前記縦材の前記中空部には不燃性または難燃性の補強部材が長手方向に沿って設けられており、
前記枠側金具及び前記一体保持金具は前記補強部材に固定されていることを特徴とする窓ユニット。
【請求項５】
請求項１乃至請求項４のいずれかに記載の窓ユニットを用いた面材の取付方法であって、
前記枠側金具と前記一体保持金具とを前記枠状部材に取り付ける金具取付工程と、
前記面材を前記一体保持金物の前記壁部間に挿入して、前記面材の前記一方の面における前記外周端部と前記第１部位とを対向させる面材装着工程と、
前記面材の前記他方の面側から前記係止金具を前記枠側金具に係止する係止工程と、
を有することを特徴とする面材の取付方法。
【発明の詳細な説明】
【技術分野】
【０００１】
本発明は、窓ユニット及び面材の取付方法に関する。
【背景技術】
【０００２】
従来、窓ユニット及び面材の取付方法としては、パネルを窓枠に取り付けるための外れ止め部材を用いるパネル外れ止め装置を備えた嵌め殺し窓等が知られている（例えば、特許文献１参照）。この嵌め殺し窓に設けられた外れ止め防止装置は、面材としてのパネルが挟持される縦枠の突出部と押縁との間に設けられている。パネル外れ止め装置は、縦枠の対向面に固定される受け部材と、受け部材に装着されるパネル外れ止め部材とからなり、縦枠に固定された受け部材に面材の縦枠側の両端を介して、パネル外れ止め部材を装着することにより、パネルが受け部材とパネル外れ止め部材とに挟持されて保持されている。
【先行技術文献】
【特許文献】
【０００３】
【特許文献１】特公平６−１０３０号公報
【発明の概要】
【発明が解決しようとする課題】
【０００４】
上記のようなパネル外れ止め装置にて取り付けられたパネルなどの面材は、押縁が取り外されると、パネル外れ止め装置が露出される。このパネル外れ止め装置は、受け部材とパネル外れ止め部材との２つの部品からなり、パネル外れ止め部材が受け部材に装着されてパネルが挟持されているだけなので、パネル外れ止め部材が受け部材から取り外されると容易にパネルが外されてしまうおそれがあるという課題がある。
【０００５】
本発明は、かかる課題に鑑みてなされたものであり、その目的とするところは、面材を容易に外すことができない窓ユニット及び面材の取付方法を提供することにある。
【課題を解決するための手段】
【０００６】
かかる目的を達成するために本発明の窓ユニットは、二つの空間の境界に設けられる面材と、前記面材の一方の面における外周端部と対向する一面対向部を有し、前記一面対向部にて形成される開口が前記面材にて閉塞される枠状部材と、前記面材の他方の面側にて前記枠状部材の前記一面対向部と、前記面材を介して対向する他面対向部を有し、前記枠状部材に取り付けられる押縁と、前記一方の面と前記一面対向部との間に配置される第１部位を有し前記枠状部材に固定される枠側金具、及び、前記他方の面と前記他面対向部との間に配置される第２部位を有し前記枠側金具に係止される係止金具を有する係止保持金具と、前記面材の前記一方の面及び前記他方の面における前記外周端部と各々対向する壁部を一体に備え前記枠状部材に固定される一体保持金具と、を有することを特徴とする窓ユニットである。
【０００７】
このような窓ユニットによれば、面材は、一方の面の外周端部が枠状部材の一面対向部と対向しているので、面材を一方の面側に外すことはできない。また、面材は、枠状部材に係止保持金具と一体保持金具とで保持されている。係止保持金具は、枠状部材に取り付けられた押縁と面材の他方の面との間に配置される第２部位を有する係止金具が枠状部材に固定された枠側金具に係止されているので、押縁を外すと係止金具が外されるおそれがある。ところが、面材は、面材の一方の面及び他方の面における外周端部と各々対向する壁部を一体に備え枠状部材に固定される一体保持金具によっても保持されているので、たとえ係止金具が取り外されたとしても、面材を容易に外すことができない窓ユニットを提供することが可能である。
【０００８】
かかる窓ユニットであって、前記開口は、矩形状をなし、前記一体保持金具は前記面材の下部の前記外周端部を保持し、前記係止保持金具は前記面材の上部及び両側部の前記外周端部を保持することが望ましい。  
このような窓ユニットによれば、矩形状の開口を閉塞する面材の下部の外周端部が一体保持金具により保持されているので、面材の下端側を枠状部材から他方の面側に移動させることはできない。このため、面材を外す場合には、まず下部以外の部位以外を保持している係止保持金具の係止金具を外さなければならないので、脚立や台などに載るなどしないと外すことができない。このため、面材を容易に外されることを防止することが可能である。
【０００９】
かかる窓ユニットであって、前記面材が前記枠状部材に前記係止保持金具及び前記一体保持金具を介して保持されたときに、前記面材の上方に形成された空隙の高さは、前記面材の下端と前記一体保持金具の前記他の面側の壁部の上端との距離より狭いことが望ましい。  
このような窓ユニットによれば、面材が枠状部材に係止保持金具及び一体保持金具を介して保持された状態から、係止保持金具の係止金具を取り外し、面材を持ち上げても、面材の下端が一体保持金具の他の面側の壁部の上端より低い位置に位置する。このため、たとえ、上側の係止金具が外されたとしても、面材の下端を一体保持金具から外すことはできない。このため、面材を容易に取り外すことができない窓ユニットを提供することが可能である。
【００１０】
かかる窓ユニットであって、前記枠状部材は、長手方向に連通する中空部を有する合成樹脂製の一対の横材及び一対の縦材とで形成され、前記横材及び前記縦材の前記中空部には不燃性または難燃性の補強部材が長手方向に沿って設けられており、前記枠側金具及び前記一体保持金具は前記補強部材に固定されていることが望ましい。  
枠状部材は合成樹脂製なので、火炎に晒された際には溶融するおそれがあり、面材を保持する係止保持金具及び一体保持金具が枠状部材に固定されているだけでは、火炎に晒されると係止保持金具及び一体保持金具とともに面材が外れるおそれがある。このため、上記のような窓ユニットによれば、枠状部材を構成する合成樹脂製の一対の横材及び一対の縦材の中空部に設けられた鉄・ステンレス等の金属等の不燃性の補強部材や火災によりまず表面が炭化し、炭化した表面の断熱効果により内部に燃え進むことを遅らせる、例えば、ＭＤＦ・木材等のような難燃性の補強部材に係止保持金具及び一体保持金具が固定されているので、たとえ火炎に晒されたとしても面材が短時間に外れることを防止することが可能である。
【００１１】
また、かかる窓ユニットを用いた面材の取付方法であって、前記枠側金具と前記一体保持金具とを前記枠状部材に取り付ける金具取付工程と、前記面材を前記一体保持金物の前記壁部間に挿入して、前記面材の前記一方の面における前記外周端部と前記第１部位とを対向させる面材装着工程と、前記面材の前記他方の面側から前記係止金具を前記枠側金具に係止する係止工程と、を有することを特徴とする面材の取付方法である。  
このような面材の取付方法によれば、枠側金具と一体保持金具とを枠状部材に取り付け、面材を一体保持金具の壁部間に挿入し、面材の一方の面における外周端部と第１部位とを対向させ、面材の他方の面側から係止金具を枠側金具に係止することにより、面材を係止保持金具と一体保持金具にて容易に取り外せないように保持させることが可能である。
【発明の効果】
【００１２】
本発明によれば、面材を容易に外すことができない窓ユニット及び面材の取付方法を提供することが可能である。
【図面の簡単な説明】
【００１３】
【図１】本実施形態に係る窓ユニットを屋内側から見た外観図である。
【図２】本実施形態に係る窓ユニットの縦断面図である。
【図３】一体保持金具を示す斜視図である。
【図４】係合保持金具を示す斜視図である。
【図５】係止金具を示す斜視図である。
【図６】下枠及び縦材に取り付けられる一体保持金具及び係止保持金具を示す斜視図である。
【図７】窓ユニットを用いた面材の取付方法を示す断面図である。
【発明を実施するための形態】
【００１４】
以下、本発明の一実施形態に係る窓ユニットについて図面を参照して説明する。  
本実施形態では、二つの空間としての屋内及び屋外の境界に設けられ、図１、図２に示すような開閉不能なＦＩＸ窓用の窓ユニット１を例に挙げて説明する。
【００１５】
本実施形態のＦＩＸ窓用の窓ユニット１は、面材としての複層ガラス３と、複層ガラス３により閉塞される開口１０ａを形成する枠状部材としての枠体１０と、枠体１０の屋外側に取り付けられて枠体１０とともに複層ガラス３を保持する押縁５と、枠体１０と押縁５との間に設けられて複層ガラス３を保持するための一体保持金具２０及び係止保持金具３０と、を備えている。
【００１６】
以下の説明においては、窓ユニット１を屋内側から見たときに、上下となる方向を上下方向、左右となる方向を左右方向または見付け方向、室内外方向である奥行き方向を見込み方向として示す。また、窓ユニット１を構成する各部材については、枠体１０の面内方向における開口１０ａの中央側を内周側、開口１０ａの外側を外周側として示す。
【００１７】
枠体１０は、同一の断面形状をなす合成樹脂製の４本の押し出し成形部材が上下一対の横材１１、１２と左右一対の縦材１３をなし、矩形状に枠組みされている。上下の横材１１、１２と左右の縦材１３は、各々所定の長さにて端部が４５度に切断され、互いに突き合わされて溶着されている。縦材１３については図２に示せないので、図６の対応する箇所に符号を付している。
【００１８】
上下の横材１１、１２及び左右の縦材１３は、各々互いに対向する面１１ａ、１２ａ、１３ａを有する内周面部１１ｂ、１２ｂ、１３ｂを有しており、上下の横材１１、１２及び左右の縦材１３の内周面部１１ｂ、１２ｂ、１３ｂに囲まれた領域に複層ガラス３が配置される。上下の横材１１、１２及び左右の縦材１３の内周面部１１ｂ、１２ｂ、１３ｂの屋内側にて各内周面部１１ｂ、１２ｂ、１３ｂより内周側に向かって延出され、複層ガラス３における一方の面としての屋内側面３ａの外周端部３ｂと対向する一面対向部１１ｃ、１２ｃ、１３ｃが設けられている。
【００１９】
一面対向部１１ｃ、１２ｃ、１３ｃは、見込み方向に間隔を隔て内周面部１１ｂ、１２ｂ、１３ｂから延出された屋内側延出壁１１ｄ、１２ｄ、１３ｄと屋外側延出壁１１ｅ、１２ｅ、１３ｅとを有し、屋内側延出壁１１ｄ、１２ｄ、１３ｄと屋外側延出壁１１ｅ、１２ｅ、１３ｅとの先端１１ｆ、１２ｆ、１３ｆ側、及び、先端１１ｆ、１２ｆ、１３ｆと内周面部１１ｂ、１２ｂ、１３ｂとの中央より僅かに先端側の位置にて連結する先端連結部１１ｇ、１２ｇ、１３ｇと中間連結部１１ｈ、１２ｈ、１３ｈとを有している。中間連結部１１ｈ、１２ｈ、１３ｈより先端側の部位は、屋外側に向かって開放され、シール材５０が嵌合されるシール嵌合部１１ｉ、１２ｉ、１３ｉを有している。シール材５０及びシール嵌合部１１ｉ、１２ｉ、１３ｉは各横材１１、１２及び各縦材１３の長手方向の沿ってその全域に設けられている。
【００２０】
上下の横材１１、１２及び左右の縦材１３の先端１１ｆ、１２ｆ、１３ｆにて囲まれた空間が矩形状の開口１０ａをなし、取り付けられる複層ガラス３により閉塞される。一面対向部１１ｃ、１２ｃの屋内側には、屋内側に向かって延出され、枠体１０が躯体２に取り付けられた状態で、床材や額縁などの内装材４の端部を覆う内装材カバー部１１ｊ、１２ｊ、１３ｊが形成されている。
【００２１】
各横材１１、１２及び各縦材１３の内周面部１１ｂ、１２ｂ、１３ｂは、各々当該内周面部１１ｂ、１２ｂ、１３ｂの外周側に設けられ長手方向に貫通しほぼ矩形状の断面をなす中空部１１ｋ、１２ｋ、１３ｋを形成している。各横材１１、１２及び各縦材１３の内周面部１１ｂ、１２ｂ、１３ｂの屋内側には、中空部１１ｋ、１２ｋ、１３ｋ内に窪み押縁５が嵌合される嵌合凹部１１ｌ、１２ｌ、１３ｌが長手方向に沿って形成されている。内周面部１１ｂ、１２ｂ、１３ｂとともに中空部１１ｋ、１２ｋ、１３ｋを形成し、内周面部１１ｂ、１２ｂ、１３ｂと外周側にて対向する外周面部１１ｍ、１２ｍ、１３ｍには、その外周側に突設され、躯体２に枠体１０を屋外側から固定するためのヒレ状の枠体固定部１１ｎ、１２ｎ、１３ｎが設けられている。
【００２２】
各横材１１、１２及び各縦材１３の中空部１１ｋ、１２ｋ、１３ｋ内には、長手方向に沿って、鉄製の補強部材１５がそれぞれ設けられている。補強部材１５は、内周面部１１ｂ、１２ｂ、１３ｂ及び外周面部１１ｍ、１２ｍ、１３ｍとそれぞれ対向する内対向板部１５ａ及び外対向板部１５ｂが、内対向板部１５ａ及び外対向板部１５ｂの屋外側の端部にて繋がって、断面コ字状をなしている。内対向板部１５ａと外対向板部１５ｂとは、各中空部１１ｋ、１２ｋ、１３ｋに補強部材１５が挿入されたときに、中空部１１ｋ、１２ｋ、１３ｋをなす内周面部１１ｂ、１２ｂ、１３ｂと外周面部１１ｍ、１２ｍと１２ｍの間にて内周面部１１ｂ、１２ｂ、１３ｂ及び外周面部１１ｍ、１２ｍ、１３ｍと近接または接触するように設けられている。この補強部材１５には、一体保持金具２０及び係止保持金具３０の後述する枠側金具３１が内周面部１１ｂ、１２ｂ、１３ｂを介してビス止めされている。また、各横材１１、１２及び各縦材１３の内周面部１１ｂ、１２ｂ、１３ｂには、一体保持金具２０及び枠側金具３１が取り付けられた状態にて、シート状の膨張性黒鉛５１が長手方向の全域に設けられている。
【００２３】
一体保持金具２０は、下の横材１２（以下、下枠という）に固定される部材であり、内周面部１２ｂを介して補強部材１５に固定されたときに、内周面部１２ｂに当接される当接面部２１と、当接面部２１の屋内側の縁から内周側に延出されて屋外側延出壁１２ｅと対向する壁部としての枠材対向壁２２と、当接面部２１の屋外側の縁から内周側に延出されて押縁５と対向する壁部としての押縁対向壁２３とを一体に備えている。すなわち、一体保持金具２０は、図３に示すように、断面がコ字状をなしている。本実施形態では、一体保持金具２０が下枠１２に取り付けられたときに、枠材対向壁２２がシール材５０と接触しないように、枠材対向壁２２が押縁対向壁２３より短く形成されている。また、押縁対向壁２３の屋内側の面２３ａには、シート状の緩衝材５３が設けられ運搬やガラス施工時の複層ガラス３の破損を防止している。
【００２４】
一体保持金具２０は、コ字状の開放された側が上方を向くように、補強部材１５に固定されることにより下枠１２に取り付けられる。下枠１２に取り付けられた一体保持金具２０には、上方から複層ガラス３の外周端部３ｂである下端部が挿入されて、枠材対向壁２２が、複層ガラス３の一方の面としての屋内側面３ａにおける下端部と対向する壁部をなし、押縁対向壁２３が、複層ガラス３の他方の面としての屋外側面３ｃにおける下端部と対向する壁部をなし、ステンレス製の板状の部材から形成されている。
【００２５】
係止保持金具３０は、図４に示すように、上の横材（以下、上枠という）１１及び左右の縦材１３に各々固定される枠側金具３１と、複層ガラス３の配置後に屋外側から枠側金具３１に係止される係止金具３６とを有している。本実施形態の枠側金具３１及び係止金具３６は、ステンレス製の板状の部材から形成されている。
【００２６】
枠側金具３１は、内周面部１１ｂ、１３ｂに当接されてビスにて固定される２つの固定部３２と、２つの固定部３２間に設けられた本体部３３と、本体部３３の屋内側の縁から延出された内延出片３４と、を有している。
【００２７】
２つの固定部３２は、上枠１１及び左右の縦材１３に取り付けられる際に、上枠１１及び左右の縦材１３の長手方向に間隔を隔てるように設けられており、本体部３３は、２つの固定部３２が当接されている内周面部１１ｂに対して内周側に間隔を隔てて対向するように２つの固定部３２と繋がって設けられている。このとき、対向する本体部３３と内周面部１１ｂ、１３ｂとの間隔は、係止金具３６の板厚より僅かに広く形成されている。
【００２８】
本体部３３には、係止金具３６が有する後述する係止片３７ａが係止される係止開口３３ａがほぼ中央に設けられている。内延出片３４は、本体部３３とほぼ直角をなすように形成され、固定部３２が上枠１１及び左右の縦材１３に取り付けられると、一面対向部１１ｃ、１３ｃの屋外側延出壁１１ｅ、１３ｅと対向するように配置される。そして、複層ガラス３が配置されると、複層ガラス３の屋内側面３ａと一面対向部１１ｃ、１３ｃの屋外側延出壁１１ｅ、１３ｅとの間に配置される。すなわち、内延出片３４が第１部位に相当する。
【００２９】
係止金具３６は、図５に示すように、枠側金具３１と内周面部１１ｂ、１３ｂとの間に挿入される挿入板部３７と、挿入板部３７の屋外側の縁から延出された外延出片３８と、を有している。
【００３０】
挿入板部３７は、枠側金具３１の本体部３３に設けられた係止開口３３ａに係止される係止片３７ａがほぼ中央に設けられている。係止片３７ａは、挿入板部３７の中央側の部位が曲げ起こされて形成されており、係止金具３６が枠側金具３１に係止されるべく挿入される際の先端側から後端側に向かって漸次内周側に位置するような傾斜面３７ｂをなしている。このため、係止金具３６を枠側金具３１の本体部３３と内周面部１１ｂ、１３ｂとの間に挿入すると、枠側金具３１の係止開口３３ａより屋外側の部位３３ｂにて係止片３７ａが内周面部１１ｂ、１３ｂ側に押圧されて弾性変形しつつ挿入され、係止片３７ａが係止開口３３ａに至ったときに押圧が解除されて変形が復元されることにより枠側金具３１に係止される。このため、係止片３７ａを係止開口３３ａから外さないと係止金具３６を枠側金具３１から取り外すことはできない。
【００３１】
外延出片３８は、挿入板部３７とほぼ直角をなすように形成され、挿入板部３７が枠側金具３１に係止された状態にて、上枠１１及び左右の縦材１３に嵌合された押縁５と対向するように配置される。外延出片３８の屋内側の面３８ａには、シート状の緩衝部材５３が設けられ、運搬やガラス施工時の複層ガラス３の破損を防止している。
【００３２】
押縁５は、枠体１０の嵌合凹部１１ｌ、１２ｌ、１３ｌに嵌合される嵌合端部５ａと、嵌合端部５ａが嵌合凹部１１ｌ、１２ｌ、１３ｌに嵌合されて、複合ガラス３の屋外側面３ｃと対向する他面対向部５ｂとを有している。他面対向部５ｂは、僅かに湾曲しており、嵌合端部５ａが嵌合凹部１１ｌ、１２ｌ、１３ｌに嵌合されたときに、他面対向部５ｂの先端が複層ガラス３側に近づくように形成されている。
【００３３】
そして、複層ガラス３が配置され係止金具３６が枠側金具３１に係止された状態では、複層ガラス３の屋外側面３ｃと押縁５の他面対向部５ｂとの間に外延出片３８が配置される。すなわち、外延出片３８が第２部位に相当する。
【００３４】
本窓ユニット１における複層ガラス３の取付方法は、まず、端部が４５度に切断された上下の横材１１、１２と左右の縦材１３の中空部１１ｋ、１２ｋ、１３ｋに補強部材１５を挿入し、端部同士を突き合わせて溶着することにより枠体１０を形成する。
【００３５】
次に、図６に示すように、形成された枠体１０の下枠１２の内周面部１２ｂに一体保持金具２０をビスにて固定し、上枠１１と左右の縦材１３の内周面部１１ｂ、１３ｂに枠側金具３１をビスにて固定する（金具取付工程）とともに、シール状の膨張性黒鉛５１を貼り付けておく。このとき、押縁対向壁２３の屋内側の面及び外延出片３８の屋内側の面に緩衝材５３を、下枠１２の内周面部１２ｂにセッティングブロック５２をそれぞれ貼り付けておく。
【００３６】
次に、平坦な場所にて枠体１０を、一面対向部１１ｃ、１２ｃ、１３ｃ側が下側となるように配置し、上方から複層ガラス３を配置する。このとき、窓ユニット１が取り付けられた状態にて複層ガラス３の下端３ｄとなる側が、上端となる側より低くなるように姿勢を保ちつつ下枠１２に設けられた一体保持金具２０の枠材対向壁２２と押縁対向壁２３との間に挿入する。そして、複層ガラス３の下端３ｄとなる側がセッティングブロック５２に当接した後に、複層ガラス３の上端となる側を枠体１０側に近づけ、複層ガラス３の屋内側となる屋内側面３ａを、各横材１１、１２及び各縦材１３に設けられたシール材５０に当接させる（面材装着工程）。このとき、複層ガラス３の屋内側となる屋内側面３ａが、全周に渡って一面対向部１１ｃ、１２ｃ、１３ｃと対向し、複層ガラス３の屋内側となる屋内側面３ａと一面対向部１１ｃ、１２ｃ、１３ｃとの間に、枠側金具３１の内延出片３４及び一体保持金具２０の枠材対向壁２２が配置される。
【００３７】
次に、上枠１１及び左右の縦材１３に設けられた枠側金具３１に、係止金具３６を係止する（係止工程）。このとき、複層ガラス３の上端となる側と上枠１１の内周面部１１ｂとの間にセッティングブロック５２を配置する。これにより、窓ユニット１を躯体２に取り付けた状態にて、複層ガラス３を上方に持ち上げても、複層ガラス３の下端３ｄが、一体保持金具２０の押縁対向壁２３の上端２３ｂより上方に移動することが防止される。このとき、複層ガラス３の上方に形成された空隙１０ｂの高さは、複層ガラス３の下端３ｄと一体保持金具２０の押縁対向壁２３の上端２３ｂとの距離より狭くなっている。
【００３８】
最後に、各横材１１、１２及び各縦材１３にそれぞれ押縁５を嵌合して窓ユニット１が完成する。このとき、複層ガラス３の屋外側となる屋外側面３ｃが、全周に渡って押縁５と対向し、複層ガラス３の屋外側となる屋外側面３ｃと他面対向部５ｂとの間に、係止金具３６の外延出片３８及び一体保持金具２０の押縁対向壁２３が配置される。
【００３９】
本実施形態の窓ユニット１によれば、複層ガラス３は、屋内側面３ａの外周端部３ｂが枠体１０の一面対向部１１ｃ、１２ｃ、１３ｃと対向しているので、複層ガラス３を屋内側に外すことはできない。また、複層ガラス３は、枠体１０に一体保持金具２０と係止保持金具３０とで保持されている。係止保持金具３０は、枠体１０に取り付けられた押縁５と複層ガラス３の屋外側面３ｃとの間に配置される外延出片３８を有する係止金具３６が枠体１０に固定された枠側金具３１に係止されているので、押縁５を外すと係止金具３６が外されるおそれがある。ところが、複層ガラス３は、複層ガラス３の屋内側面３ａ及び屋外側面３ｃにおける外周端部３ｂと各々対向する枠材対向壁２２と押縁対向壁２３を一体に備えた枠体１０に固定される一体保持金具２０によっても保持されているので、たとえ係止金具３６が取り外されたとしても、容易に複層ガラス３を外すことができない窓ユニット１を提供することが可能である。
【００４０】
また、矩形状の開口１０ａを閉塞する複層ガラス３の下部の外周端部３ｂが一体保持金具２０により保持されているので、複層ガラス３の下端３ｄ側を枠体１０から屋外側面３ｃ側に移動させることはできない。このため、複層ガラス３を外す場合には、複層ガラス３の下部以外の部位、すなわち、上部や側部を保持している係止保持金具３０の係止金具３６を外さなければならないので、脚立や台などに載るなどしないと外すことができない。このため、防犯性の高い窓ユニット１を実現することが可能である。
【００４１】
また、複層ガラス３が枠体１０に一体保持金具２０及び係止保持金具３０を介して保持された状態から、係止保持金具３０の係止金具３６を取り外し、複層ガラス３を持ち上げても、複層ガラス３の下端３ｄが一体保持金具２０の外側屋外側の押縁対向壁２３の上端２３ｂより低い位置に位置する。このため、たとえ、上側の係止金具３６が外されたとしても、複層ガラス３の下端３ｄを一体保持金具２０から外すことはできない。このため、複層ガラス３を容易に取り外すことができない窓ユニット１を提供することが可能である。
【００４２】
また、枠体１０は合成樹脂製なので、火炎に晒された際には溶融するおそれがあり、複層ガラス３を保持する一体保持金具２０及び係止保持金具３０が枠体１０に固定されているだけでは、火炎に晒されると一体保持金具２０及び係止保持金具３０とともに複層ガラス３が外れるおそれがある。このため、本実施形態のような窓ユニット１によれば、枠体１０を構成する合成樹脂製の上下の横材１１、１２及び左右の縦材１３の中空部１１ｋ、１２ｋ、１３ｋに設けられた鉄・ステンレス等の金属等の不燃性の補強部材１５に一体保持金具２０及び枠側金具３１が固定されているので、火炎に晒されても複層ガラス３が外れることを防止することが可能である。なお、補強部材は、不燃性の補強部材に限らず、火災によりまず表面が炭化し、炭化した表面の断熱効果により内部に燃え進むことを遅らせることが可能な、例えば、ＭＤＦ・木材等のような難燃性の補強部材であっても構わない。
【００４３】
本実施形態の窓ユニットを用いた複層ガラス３の取付方法によれば、一体保持金具２０と枠側金具３１とを枠体１０に取り付け、複層ガラス３を一体保持金具２０の枠材対向壁２２と押縁対向壁２３との間に挿入し、複層ガラス３の屋内側面３ａにおける外周端部と内延出片３４とを対向させ、複層ガラス３の屋外側から係止金具３６を枠側金具３１に係止することにより、複層ガラス３を一体保持金具２０と係止保持金具３０とにて容易に取り外せないように保持させることが可能である。
【００４４】
上記実施形態においては、複層ガラス３が開閉不能に枠部材に取り付けられたＦＩＸ窓用の窓ユニット１を例に挙げて説明したが、これに限らず、面材が取り付けられている障子であっても構わない。この場合には、枠状部材は、障子を構成する框となる。
【００４５】
上記実施形態においては、面材を２枚の板ガラスを互いに間隔を隔てて対面させて一体に形成した複層ガラス３とした例について説明したが、面材は、１枚のガラス板であっても構わず、また、３枚以上の板ガラスを互いに間隔を隔てて対面させて一体に形成した複層ガラスであっても構わない。また、面材は、ガラスに限らず板状をなす内装材または外装材等であっても構わない。
【００４６】
上記実施形態における複層ガラス３の取付方法では、平坦な場所に配置した枠体１０に上方から複層ガラス３を取り付ける方法について説明したが、建物等に取り付けられた枠体１０に複層ガラス３を取り付けても構わない。
【００４７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  窓ユニット、３  複層ガラス、３ａ  複層ガラスの屋内側面、
３ｂ  複層ガラスの外周端部、３ｃ  複層ガラスの屋外側面、
３ｄ  複層ガラスの下端、５  押縁、５ｂ  他面対向部、１０  枠体、
１０ａ  開口、１０ｂ  空隙、１１  横材（上枠）、１１ｂ  内周面部、
１１ｃ  一面対向部、１１ｋ  中空部、１２  横材（下枠）、１２ｂ  内周面部、
１２ｃ  一面対向部、１２ｋ  中空部、１３  縦材、１３ｂ  内周面部、
１３ｃ  一面対向部、１３ｋ  中空部、１５  補強部材、２０  一体保持金具、
２２  枠材対向壁、２３  押縁対向壁、２３ｂ  押縁対向壁の上端、
３０  係止保持金具、３１  枠側金具、３４  内延出片、３６  係止金具、
３８  外延出片
【図１】
2014114558.tif 000003
【図２】
2014114558.tif 000004
【図３】
2014114558.tif 000005
【図４】
2014114558.tif 000006
【図５】
2014114558.tif 000007
【図６】
2014114558.tif 000008
【図７】
2014114558.tif 000009